(57)【要約】【課題】ハードディスクを有する録画装置、及び録画装置において、番組の本編をまとめて再生した後、ＣＭをまとめて再生する。【解決手段】ハードディスクレコーダ（録画装置）は、番組を記録するＨＤＤと、制御用マイコンとを備え、制御用マイコンは番組のＣＭを判断するＣＭ判断手段と、番組の本編をＨＤＤに記録し終わったか判断する本編記録終了判断手段として機能する。制御用マイコンは、ＨＤＤに記録する番組のＣＭを判断し（Ｓ１）、ＣＭであると判断した場合（Ｓ２でＹＥＳ）、ＣＭをバッファメモリに記憶する（Ｓ７）。一方、ＣＭでないと判断した場合、ＣＭでないと判断した番組をＨＤＤに記録する。そして、番組の本編をＨＤＤに記録し終えたか否かを判断し（Ｓ４）、この判断の結果、番組を記録し終えた場合（Ｓ５でＹＥＳ）、バッファメモリに記憶されたＣＭをＨＤＤに追記して記録する（Ｓ６）。【選択図】図３
2007287248.tif 000002
【特許請求の範囲】
【請求項１】
本編とＣＭ（コマーシャルメッセージ）とを含むテレビジョン番組（以下、番組という）を記録するためのハードディスクと、
前記ハードディスクにデータの記録を行うための書き込み手段と、
装置各部を制御する制御手段とを備えた、ハードディスクを有する録画装置において、
前記番組が前記ＣＭか否かを判断するＣＭ判断手段と、
前記ＣＭを一時的に記憶するバッファメモリと、
前記番組の前記本編を前記ハードディスクに記録し終わったか否かを判断する本編記録終了判断手段とをさらに備え、
前記制御手段は、
前記番組を前記ハードディスクに記録するとき、前記ＣＭ判断手段を用いて該番組のＣＭを判断し、
ＣＭであると判断した場合、該ＣＭを前記バッファメモリに記憶し、
ＣＭでないと判断した場合、ＣＭでないと判断した番組を前記書き込み手段を用いて前記ハードディスクに記録し、
前記本編記録終了判断手段を用いて、前記番組の前記本編を前記ハードディスクに記録し終えたか否かを判断し、該本編を記録し終えた場合、前記バッファメモリに記憶されたＣＭを、前記書き込み手段を用いて前記ハードディスクに追記して記録することを特徴とするハードディスクを有する録画装置。
【請求項２】
本編とＣＭ（コマーシャルメッセージ）とを含むテレビジョン番組（以下、番組という）を記録するための記録手段と、
装置各部を制御する制御手段とを備えた録画装置において、
前記番組が前記ＣＭか否かを判断するＣＭ判断手段と、
前記ＣＭを記憶するＣＭ記憶手段と、
前記番組の前記本編を前記記録手段に記録し終わったか否かを判断する本編記録終了判断手段とをさらに備え、
前記制御手段は、
前記番組を前記記録手段に記録するとき、前記ＣＭ判断手段を用いて該番組のＣＭを判断し、
ＣＭであると判断した場合、該ＣＭを前記ＣＭ記憶手段に記憶し、
ＣＭでないと判断した場合、ＣＭでないと判断した番組を前記記録手段に記録し、
前記本編記録終了判断手段を用いて、前記番組の前記本編を前記記録手段に記録し終えたか否かを判断し、該本編を記録し終えた場合、前記ＣＭ記憶手段に記憶されたＣＭを、前記記録手段に追記して記録することを特徴とする録画装置。
【請求項３】
前記記録手段にデータの記録を行うための書き込み手段をさらに備え、
前記制御手段は、
前記ＣＭでないと判断した番組を前記書き込み手段を用いて前記記録手段に記録し、
前記ＣＭ記憶手段に記憶されたＣＭを、前記書き込み手段を用いて前記記録手段に追記して記録することを特徴とする請求項２に記載の録画装置。
【発明の詳細な説明】
【技術分野】
【０００１】
本発明は、ハードディスクレコーダ等のハードディスクを有する録画装置、及び録画装置に関する。
【背景技術】
【０００２】
従来から、本編とＣＭ（コマーシャルメッセージ）とを含むテレビジョン番組（以下、番組という）の記録、及び記録した番組の再生が可能であるハードディスクレコーダが知られている。一般的に、ＣＭは本編と本編との間に挿入されている。そのため、ハードディスクレコーダが記録された番組を再生するときに、本編とＣＭとを交互に再生する。けれども、ユーザは、できれば本編視聴中にＣＭを見たくないことが多い。しかし、スポンサーとの契約の関係で番組中のＣＭをカットできない場合がある。
【０００３】
これに対して、特許文献１の発明は、番組の本編を記憶する本編用バッファメモリと、番組のＣＭを記録するＣＭ用バッファメモリと映像を合成することができる合成部とを備え、番組を再生するときに、本編を連続して表示させると共に、画面の右下にＣＭを表示するように合成部を用いて映像信号を合成するハードディスクレコーダである。しかし、この発明では、本編とＣＭとの合成画像において、ＣＭが本編の映像の視聴の邪魔になってしまう。
【０００４】
また、特許文献２の発明は、番組をハードディスクに記録するときに、番組に含まれるＣＭをＣＭ検出部を用いて検出し、記録した番組の再生時に、ＣＭ検出部によって検出されたＣＭをハードディスクから順に読み出し、読み出したＣＭをまとめて再生した後に、本編をまとめて再生するハードディスクレコーダである。しかし、この発明は、ＣＭを視聴者に確実に視聴させることを目的とするものであり、この発明では、ＣＭをまとめて再生した後でなければ、本編をまとめて再生することができない。従って、ユーザがＣＭの視聴を望まない場合でも、ＣＭを視聴しなければならない。
【特許文献１】特開２００４−３３６５０７号公報
【特許文献２】特開２００２−３２５２２６号公報
【発明の開示】
【発明が解決しようとする課題】
【０００５】
本発明は、上述した問題点を解決するためになされたものであり、記録された番組を再生するときに、本編をまとめて再生した後、ＣＭをまとめて再生することができるようにして、ユーザが、ＣＭの視聴を望まない場合に、本編の視聴を終えた後に、ＣＭの視聴を打ち切ることが可能な、ハードディスクを有する録画装置、及び録画装置を提供することを目的とする。
【課題を解決するための手段】
【０００６】
上記目的を達成するために請求項１の発明は、本編とＣＭ（コマーシャルメッセージ）とを含むテレビジョン番組（以下、番組という）を記録するためのハードディスクと、前記ハードディスクにデータの記録を行うための書き込み手段と、装置各部を制御する制御手段とを備えた、ハードディスクを有する録画装置において、前記番組が前記ＣＭか否かを判断するＣＭ判断手段と、前記ＣＭを一時的に記憶するバッファメモリと、前記番組の前記本編を前記ハードディスクに記録し終わったか否かを判断する本編記録終了判断手段とをさらに備え、前記制御手段は、前記番組を前記ハードディスクに記録するとき、前記ＣＭ判断手段を用いて該番組のＣＭを判断し、ＣＭであると判断した場合、該ＣＭを前記バッファメモリに記憶し、ＣＭでないと判断した場合、ＣＭでないと判断した番組を前記書き込み手段を用いて前記ハードディスクに記録し、前記本編記録終了判断手段を用いて、前記番組の前記本編を前記ハードディスクに記録し終えたか否かを判断し、該本編を記録し終えた場合、前記バッファメモリに記憶されたＣＭを、前記書き込み手段を用いて前記ハードディスクに追記して記録するものである。
【０００７】
請求項２に記載の発明は、本編とＣＭ（コマーシャルメッセージ）とを含むテレビジョン番組（以下、番組という）を記録するための記録手段と、装置各部を制御する制御手段とを備えた録画装置において、前記番組が前記ＣＭか否かを判断するＣＭ判断手段と、前記ＣＭを記憶するＣＭ記憶手段と、前記番組の前記本編を前記記録手段に記録し終わったか否かを判断する本編記録終了判断手段とをさらに備え、前記制御手段は、前記番組を前記記録手段に記録するとき、前記ＣＭ判断手段を用いて該番組のＣＭを判断し、ＣＭであると判断した場合、該ＣＭを前記ＣＭ記憶手段に記憶し、ＣＭでないと判断した場合、ＣＭでないと判断した番組を前記記録手段に記録し、前記本編記録終了判断手段を用いて、前記番組の前記本編を前記記録手段に記録し終えたか否かを判断し、該本編を記録し終えた場合、前記ＣＭ記憶手段に記憶されたＣＭを、前記記録手段に追記して記録するものである。
【０００８】
請求項３に記載の発明は、請求項２に記載の録画装置において、前記記録手段にデータの記録を行うための書き込み手段をさらに備え、前記制御手段は、前記ＣＭでないと判断した番組を前記書き込み手段を用いて前記記録手段に記録し、前記ＣＭ記憶手段に記憶されたＣＭを、前記書き込み手段を用いて前記記録手段に追記して記録するものである。
【発明の効果】
【０００９】
請求項１に記載の発明によれば、制御手段は、番組をハードディスクに記録するとき、この番組のＣＭを判断し、ＣＭであると判断した場合、このＣＭをバッファメモリに記憶し、ＣＭでないと判断した場合、ＣＭでないと判断した番組をハードディスクに記録する。そして、上記番組の本編をハードディスクに記録し終えたか否かを判断し、この本編を記録し終えた場合、バッファメモリに記憶されたＣＭを、ハードディスクに追記して記録する。
【００１０】
これにより、ハードディスクに記録された番組を再生するときに、番組の本編をまとめて再生した後に、ＣＭをまとめて再生することができる。従って、ユーザは、ＣＭの視聴を望まない場合に、本編の視聴を終えた後に、ＣＭの視聴を打ち切ることができる。
【００１１】
請求項２に記載の発明によれば、制御手段は、番組を記録手段に記録するとき、この番組のＣＭを判断し、ＣＭであると判断した場合、このＣＭをＣＭ記憶手段に記憶し、ＣＭでないと判断した場合、ＣＭでないと判断した番組を記録手段に記録する。そして、この番組の本編を記録手段に記録し終えたか否かを判断し、この本編を記録し終えた場合、ＣＭ記憶手段に記憶されたＣＭを、記録手段に追記して記録する。
【００１２】
これにより、記録手段に記録された番組を再生するときに、番組の本編をまとめて再生した後に、ＣＭをまとめて再生することができる。従って、ユーザは、ＣＭの視聴を望まない場合に、本編の視聴を終えた後に、ＣＭの視聴を打ち切ることができる。
【発明を実施するための最良の形態】
【００１３】
以下、本発明の一実施形態に係るハードディスクレコーダ（ハードディスクを有する録画装置、及び録画装置）について、図１、及び図２を参照して説明する。図１は、本編とＣＭ（コマーシャルメッセージ）とを含むテレビジョン番組（以下、番組という）の記録、及び記録した番組の再生を行うことができるハードディスクレコーダ１と、伝送ケーブル３を介してハードディスクレコーダ１と接続されるテレビ２（モニタ装置）とから構成される番組記録再生システムの外観を示す。図２は、ハードディスクレコーダ１の内部構成を示す。テレビ２は、映像を表示するディスプレイ２１、及び音声を出力するスピーカ２２を備えており、伝送ケーブル３を介してハードディスクレコーダ１から出力される映像をディスプレイ２１に、音声をスピーカ２２にそれぞれ出力する。
【００１４】
ハードディスクレコーダ１は、番組を記録するためのハードディスク１２（以下、ＨＤＤという）と、ＨＤＤ１２に記録されたデータの読み取りと記録を行うためのアクセス部１３（書き込み手段）と、装置各部を制御する制御用マイコン１８とを備える。また、ハードディスクレコーダ１は、番組の再生、又は記録などの操作を行うためにユーザにより操作される操作部１１と、ＣＭを一時的に記憶するバッファメモリ１７（ＣＭ記憶手段）と、制御用マイコン１８の動作プログラムを記憶するためのＲＯＭ１６と、伝送ケーブル３に映像信号、及び音声信号を出力する出力部１５とをさらに備える。
【００１５】
制御用マイコン１８は、請求項におけるＣＭ判断手段、本編記録終了判断手段として機能する。また、制御用マイコン１８は、アクセス部１３が読み取った番組の再生を行う番組再生手段としても機能する。
【００１６】
制御用マイコン１８は、再生した映像信号、及び音声信号を出力部１５に出力し、ＣＭであると判断した番組をバッファメモリ１７に記憶する。
【００１７】
次に、ＨＤＤ１２に番組を記録するときの制御用マイコン１８の処理について、図３を参照して説明する。まず、制御用マイコン１８は、ＨＤＤ１２に記録する番組のＣＭの部分を判断し（Ｓ１）、ＣＭの部分でないと判断した場合（Ｓ２でＮＯ）、ＣＭの部分でないと判断した番組をＨＤＤ１２に記録し（Ｓ３）、番組の本編をすべてＨＤＤ１２に記録し終えたか否かを判断する（Ｓ４）。
【００１８】
一方、上記Ｓ２の判断の結果、ＣＭの部分であると判断した場合（Ｓ２でＹＥＳ）、制御用マイコン１８がＣＭの部分をバッファメモリ１７に記憶し（Ｓ７）、上記Ｓ４の処理を行う。なお、上記Ｓ２における番組の本編の部分とＣＭの部分の判別は、以下のようにして行われる。すなわち、番組のデータがディジタル放送のデータの場合は、番組のデータに含まれる番組のコピー属性がコピーフリーのものか、又はコピープロテクトされたものかを判別することにより、番組の本編の部分かＣＭの部分かの判別を行う。また、番組のデータがアナログ放送のデータの場合は、番組の音声がステレオで放送されているか否かを判別することにより、番組の本編の部分かＣＭの部分かの判別を行う。
【００１９】
上記Ｓ４の判断の結果、番組の本編をすべて記録し終えた場合（Ｓ５でＹＥＳ）、制御用マイコン１８は、バッファメモリ１７に記憶されたＣＭをＨＤＤ１２に追記して記録し（Ｓ６）、処理を終了する。一方、番組の本編をすべて記録し終えていない場合（Ｓ５でＮＯ）、制御用マイコン１８は上記Ｓ１以降の処理を繰り返す。
【００２０】
次に、ＨＤＤ１２に番組を記録するときのＨＤＤ１２とバッファメモリ１７との記録状態について、図４乃至図６を参照して説明する。図４は、ＨＤＤ１２に記録する番組Ａの構成を示す。番組Ａは、本編（１）２１〜本編（４）２４と、ＣＭ（１）３１〜ＣＭ（４）３４とを有する。ＣＭ（１）３１は本編（１）２１の後に、ＣＭ（２）３２は本編（２）２２の後に、ＣＭ（３）３３は本編（３）２３の後に、ＣＭ（４）３４は本編（４）２４の後にそれぞれ位置している。
【００２１】
図５は、制御用マイコン１８が、番組Ａの本編（１）２１〜本編（４）２４をＨＤＤ１２に記録し終えたとき（前出の図３に示したＳ５でＹＥＳに相当）のバッファメモリ１７とＨＤＤ１２の状態を示す。図５（ａ）はバッファメモリ１７の記憶状態を示し、（ｂ）はＨＤＤ１２の記録状態を示す。このとき、図５に示すように、バッファメモリ１７にはＣＭ（１）３１〜ＣＭ（４）３４が記憶され、ＨＤＤ１２には本編（１）２１〜本編（４）２４が記録されている。
【００２２】
そして、図６は、制御用マイコン１８が、バッファメモリ１７に記憶されたＣＭをＨＤＤ１２に追記して記録したとき（前出の図３に示したＳ６に相当）のＨＤＤ１２の記録状態を示す。図６に示すように、ＨＤＤ１２には、本編（１）２１〜本編（４）２４がまとめて記録され、これらの後にＣＭ（１）３１〜ＣＭ（４）３４がまとめて記録される。
【００２３】
上記のように、本実施形態に係るハードディスクレコーダ１によれば、制御用マイコン１８は、番組をＨＤＤ１２に記録するとき、この番組のＣＭの部分を判断し、ＣＭの部分であると判断した場合、このＣＭの部分をバッファメモリ１７に記憶し、ＣＭの部分でないと判断した場合、ＣＭの部分でないと判断した番組をＨＤＤ１２に記録する。そして、上記番組の本編をＨＤＤ１２に記録し終えたか否かを判断し、この本編を記録し終えた場合、バッファメモリ１７に記憶されたＣＭをＨＤＤ１２に追記して記録する。
【００２４】
これにより、ハードディスクレコーダ１は、ＨＤＤ１２に記録された番組を再生するときに、番組の本編をまとめて再生した後に、ＣＭをまとめて再生することができる。従って、ユーザは、ＣＭの視聴を望まない場合に、本編の視聴を終えた後に、ＣＭの視聴を打ち切ることができる。
【００２５】
なお、本発明は、上記実施形態の構成に限られず、発明の趣旨を変更しない範囲で種々の変形が可能である。例えば、上記実施形態では、ハードディスクレコーダ１とテレビ２とが伝送ケーブル３を介して接続されている例を示したが、これに限られず、ハードディクスレコーダ内蔵型テレビであってもよい。また、上記実施形態では、番組をＨＤＤ１２に記録する例を示したが、これに限られず、ブルーレイディスク（Ｂｌｕ−ｒａｙ  Ｄｉｓｃ）、ＨＤ  ＤＶＤ（Ｈｉｇｈ  Ｄｅｆｉｎｉｔｉｏｎ  ＤＶＤ）、ＤＶＤ−ＲＷ（Ｄｉｇｉｔａｌ  Ｖｅｒｓａｔｉｌｅ  Ｄｉｓｃ−ＲｅＷｒｉｔａｂｌｅ）、ＤＶＤ−Ｒ（Ｄｉｇｉｔａｌ  Ｖｅｒｓａｔｉｌｅ  Ｄｉｓｃ−Ｒｅｃｏｒｄａｂｌｅ）等の記録媒体に番組を記録してもよい。
【図面の簡単な説明】
【００２６】
【図１】本発明の一実施形態に係るハードディスクレコーダと、このハードディスクレコーダに接続されたテレビの外観を示す斜視図。
【図２】上記ハードディスクレコーダの内部構成を示すブロック図。
【図３】上記ハードディスクレコーダに番組を記録するときの処理を示すフローチャート。
【図４】上記ハードディスクレコーダに記録する番組の構成の一例を示す説明図。
【図５】（ａ）（ｂ）は、それぞれ上記ハードディスクレコーダに番組の本編を記録し終えたときのバッファメモリの記憶状態と、ＨＤＤの記録状態とを示す説明図。
【図６】上記ハードディスクレコーダにＣＭを追記して記録したときのＨＤＤの記録状態を示す説明図。
【符号の説明】
【００２７】
１  ハードディスクレコーダ
２  テレビ（モニタ装置）
１２  ＨＤＤ（ハードディスク、記録手段）
１３  アクセス部（書き込み手段）
１７  バッファメモリ（ＣＭ記憶手段）
１８  制御用マイコン（制御手段、ＣＭ判断手段、本編記録終了判断手段）
【図１】
2007287248.tif 000003
【図２】
2007287248.tif 000004
【図３】
2007287248.tif 000005
【図４】
2007287248.tif 000006
【図５】
2007287248.tif 000007
【図６】
2007287248.tif 000008